(57)【要約】【課題】  １本ないし２〜３本の花を挿すことが出来る一輪挿しが転倒することなく起立出来る一輪挿し花器セットの提供。【解決手段】  一輪挿し１は細いガラス管で構成すると共に水が漏れないように底を有し、この一輪挿し１を取付ける台座２には穴４を設け、この穴４に一輪挿し１の下端部を嵌めて起立する。【選択図】    図１
2010000122.tif 000002
【特許請求の範囲】
【請求項１】
１本ないし２〜３本の花を挿すことが出来る一輪挿しにおいて、該一輪挿しは細いガラス管で構成すると共に水が漏れないように底を有し、この一輪挿しを取付ける台座には穴を設け、この穴に一輪挿しの下端部を嵌めて起立したことを特徴とする一輪挿しの花器セット。
【請求項２】
上記一輪挿しは透明又は半透明なガラス管とした請求項１記載の一輪挿しの花器セット。
【請求項３】
上記一輪挿しのガラス管にネオン管を使用した請求項１、又は請求項２記載の一輪挿しの花器セット。
【請求項４】
上記一輪挿しのガラス管を滑らかに湾曲した請求項１、請求項２、又は請求項３記載の一輪挿しの花器セット。
【請求項５】
上記台座として樹の木端を使用し、外表面に穴を設けた請求項１、請求項２、請求項３、又は請求項４記載の一輪挿しの花器セット。
【請求項６】
上記台座として竹筒の内部に砂を入れた請求項１、請求項２、請求項３、又は請求項４記載の一輪挿しの花器セット。
【発明の詳細な説明】
【技術分野】
【０００１】
本発明は細いガラス管を用いた一輪挿しの下端部を台座の穴に嵌めた構造の花器セットに関するものである。
【背景技術】
【０００２】
花器にはその種類が色々あり、材質的には陶器製、磁器製、金属製、ガラス製、樹脂製などが知られている。例えば、陶器製、磁器製の花器は、粘土を練って造形し、釉油をかけて焼成されている。金属製の花器は、銀製であれば研削し、鋳物製であればあらかじめ鋳型を作り、これに溶融金属を注入して作られる。また、ガラス製の花器は、溶融ガラスに空気を吹き込みながら造形しなければならない。さらに、樹脂製の花器は射出成形や加圧成形によって作られる。
【０００３】
そして、花器の中には１本から２〜３本の花を挿すことが出来る一輪挿し用の花器が存在し、沢山の花を挿すことが出来る一般の花器とはその大きさ及び形状が全く違っている。この一輪挿し用の花器であっても、２〜３本の花を挿すことが出来るように、上端口は小さくても下部は安定するようにある程度の大きさ及び重量が備わった形状と成っている。すなわち、２〜３本の花を挿しても転倒しないだけの安定度が必要となり、その為にはある程度の大きさ及び重量と成っている。
【０００４】
特開２００４−８９２７９号に係る「一輪挿し及びその取付台」は、一輪の花を差し込む一輪挿し及び一輪挿しを複数取り付けるための取付台である。
そこで、一輪挿し及びその取付台は、上端及び下端は平坦に形成するとともに下端の径は上端の径より大きく形成し、中央には上端から下端に貫通する差込孔が設けられている。すなわち、一輪挿しが倒れないように下端部が安定した形状と成っている。
【０００５】
特開平１０−３２７９９９号に係る「カレンダー吊り下げ可能な一輪挿し」は、折りたたみ、組み立て及び、組カレンダー吊り下げ等が容易な一輪挿しである。そこで、台板部の端方より立ち上がる正面傾斜板部の上部に花差込穴と、その下方に横一文字の凸部嵌込穴を設ける。この正面傾斜板部を支える形で、台板部端から立ち上がる花下方差込穴と水入れ器固定穴を設けた後部傾斜板部の上部に形成する嵌込凸部を、凸部嵌込穴に嵌め合わせ、突き出した嵌込凸部にカレンダー等を吊り下げ可能とし、台板部に水入れ器を置いている。すなわち、この一輪挿しも転倒しない形態を構成している。
【０００６】
このように、一輪挿しといえども花を挿した場合に転倒しない安定度が要求される。一方、一般的な大きな花器は、該花器が覆われるように多数の花を挿し入れられるが、一輪挿しの場合には１本ないし２〜３本の花を挿し入れる為に花器とのバランスが取れず、花の存在が花器によって薄れてしまう。
【特許文献１】特開２００４−８９２７９号に係る「一輪挿し及びその取付台」
【特許文献２】特開平１０−３２７９９９号に係る「カレンダー吊り下げ可能な一輪挿し」
【発明の開示】
【発明が解決しようとする課題】
【０００７】
このように、従来の一輪挿しには上記のごとき問題がある。本発明が解決しようとする課題はこれら問題点であり、挿し入れた花の存在が薄れることなく、あくまでも花が主体となり、しかも細くても転倒することのない一輪挿しの花器セットを提供する。
【課題を解決するための手段】
【０００８】
本発明に係る一輪挿しの花器セットとは、細いガラス管で構成される一輪挿しと該一輪挿しが転倒しないように差し込まれる台座で構成している。細いガラス管は花器としてのある程度の強度が必要なことから、その肉厚が厚いネオン管が適しており、水を入れることが出来るように底を有している。そして、花器はストレートに限らず、湾曲した形状とする場合もあり、又一部を膨らませた形状とすることも可能である。
【０００９】
一方、台座の構成は色々あり、一輪挿しが転倒しないように支えるだけの重量と、一輪挿しの下端部が挿入される穴を形成している。従って、該台座の具体的な形態・構造は限定されない。例えば、台座としては樹の木端に穴を設ける場合、竹筒に砂を入れて一輪挿しを砂に挿し込むことが出来るようにしている場合、又は平板に穴を設けている場合など、その形態は色々ある。そして、ガラス管が嵌る穴は必ずしも人工的に形成する場合に限らず、自然に開いている場合でもよい。
【発明の効果】
【００１０】
本発明に係る一輪挿しは細いガラス管で構成している為に、挿した花が一輪挿しによって薄れて存在感が低下することはない。細いガラス管には水が満たされ、透明な場合には挿された花の幹が外から見えるために、すなわち、陶器や金属製の一輪挿しの場合には、上端口から出る上方が見えるだけであるが、幹の下端から上端の花までが見えることから、一輪挿しの存在が花によって薄れても、花の存在が薄れることはない。あくまでも花が主体となる一輪挿しセットである。又、ガラス管内には水が満たされているが、透明又は半透明であるならば水の量は一目で分かり、少なくなれば追加できる。
【００１１】
そして、該一輪挿しは台座に設けた穴に挿入されることで転倒することはなく、しかも該台座は一輪挿しであるガラス管とは全く異質で、その形状が違っている。この台座は従来の一般の花器や一輪挿しが載置されるテーブルに相当するが、その台座の形状は多種多様化出来る。すなわち、従来の花器や一輪挿しのごとく載置するのであれば、少なくとも平坦面が必要となって、その形状は制約されるが、本発明では樹の根っ子、竹筒などであってもよい。
【実施例】
【００１２】
図１は本発明に係る一輪挿しセットを表している実施例である。同図の１は一輪挿し、２は台座、３は花を夫々表し、該一輪挿し１は細い透明なガラス管で構成している。勿論、水を入れる為に底は有しており、その為に形状はビーカーのようなものであるが、しかし強度を考慮して肉厚は比較的厚く、一般にはネオン管が適している。
【００１３】
同図に示す一輪挿し１は多少湾曲し、その下端部は台座２に設けた穴に嵌っている。同図の台座２は樹の木端が用いられ、その外表面に一輪挿し１の下端部がガタ付くことなく嵌合する穴が設けられている。ここで、台座２はその重量が一輪挿し１に比較して極端に大きく成っているために、花３を挿しても転倒することはない。
【００１４】
水が満たされている透明なガラス管から成る一輪挿し１に花３が挿されているが、幹はガラス管を通して見えるように成っている。同図に示す花３は細い１本の草花であるが、透明な細いガラス管からなる一輪挿し１は、この花３の特徴を打ち消すことなく表現することが可能となる。あくまでも、一輪挿し１は花３の脇役としての立場にあり、一輪挿し１としての目的が達成される。
【００１５】
不透明な一輪挿しであるならば、仮に細くても上端口から上方へ延びる部分が見えるだけであり、一輪挿しに対しての花の外観比率が小さくなる。しかし、本発明では透明な細いガラス管であることから、一輪挿し１に挿入されている幹の部分までが見えることで、花の外観比率が大きくなって、挿される花が１〜２本であっても見栄えがする。又、ガラス製の一輪挿しであっても、その肉厚が均一でない場合には、内部に挿入されている幹部が外から見えることはなく、本発明のガラス管は一定肉厚のガラス管が使用される。
【００１６】
図２は上記台座２を単独で表している具体例であり、該台座２には穴４が設けられている。前記図１の台座２には樹の外周面に穴を設けているが、同図の台座２は切断した樹の端面５に形成している。勿論、台座２に設ける穴４は必ずしも１個に限らず、適当な場所に複数個を形成し、一輪挿し１が嵌る穴４をその都度選択することも出来る。
【００１７】
図３は本発明に係る一輪挿しセットを示す他の実施例であり、同図に示す一輪挿し１は半透明なガラス管で構成され、そして上端部には外径を大きくした膨らみ６を形成している。そして、一輪挿し１は滑らかに湾曲した形状とし、上端口には花３が挿され、下端部は台座２に設けた穴に嵌って起立している。該一輪挿し１は半透明であるが、満たされている水の量は外から分かり、不足した場合には追加できる。又、上端口から挿入されている幹の部分もある程度分かるために、該一輪挿し１に対する花３の外観比率は保たれ、花の見栄えが損なわれることはない。
【００１８】
図４は本発明に係る一輪挿しセットを示す別の実施例である。同図の１は一輪挿し、２は台座、３は花を夫々表し、一輪挿し１の下端部は台座２に嵌って起立し、花３は一輪挿し１の上端口から挿されている。ところで、同図に示す台座２は竹筒で構成され、竹筒の内部には砂が満たされている。そこで、一輪挿し１の下端部はこの砂に挿され、倒れることなく起立しているが、砂である為に前以て穴が形成されている訳ではない。
【００１９】
しかし、砂である為に一輪挿し１を挿し込むことで穴が開いて起立できる。同図の７は飾りであって、一輪挿し１に挿した花３と調和している。このように、本発明の一輪挿しセットは、該一輪挿し１が細いガラス管であることで、背後に飾り７を配置しても一輪挿し１によって遮られる領域は少なくなる。特に、一輪挿し１が透明なガラス管である場合には、該飾り７が遮られることは殆どない。
【００２０】
ところで、以上説明した台座２はあくまでも具体例に過ぎず、樹の木端や竹筒に限定するものではない。例えば、平坦な円形板に穴４を設けた台座、平坦な四角形板に穴４を形成した台座、さらには自然石に穴４を設けた台座、置物になるような形状の樹の根っ子に穴４を設けた台座、自然に穴が開いている流木など、色々な台座を構成することが出来る。そして、これら台座は一輪挿し１を嵌めて起立させることで、全体が調和して該一輪挿し１だけが目立つことがないように構成される。
【図面の簡単な説明】
【００２１】
【図１】本発明に係る一輪挿しセットを示す実施例。
【図２】一輪挿しセットを構成する台座。
【図３】本発明に係る一輪挿しセットを示す実施例。
【図４】本発明に係る一輪挿しセットを示す実施例。
【符号の説明】
【００２２】
１  一輪挿し
２  台座
３  花
４  穴
５  端面
６  膨らみ
７  飾り
【図１】
2010000122.tif 000003
【図２】
2010000122.tif 000004
【図３】
2010000122.tif 000005
【図４】
2010000122.tif 000006